(57)【要約】      （修正有）【課題】効率的に飲料水を送給することができ、静粛性を向上させることのできる浄水器用ポンプを提供する。【解決手段】渦流を発生させる複数の作用溝１０１が径方向に形成された円板状のタービンＴと、タービンを収容するケーシング１２と、タービンの作用溝の形成領域を収容するようにケーシング内に形成される渦流発生用通路１０３と、渦流発生用通路に対して飲料水を導入する吸込用通路１２ａと、吸込用通路と、タービンの円周方向に隣接して設けられ、渦流発生用通路から飲料水を送り出す吐出用通路１２ｂと、吸込用通路と吐出用通路との間で渦流発生用通路を隔てる隔壁１２ｅと、タービンを所定方向に回転させる電動モータとから構成される。【選択図】図３
0003144292.tif 000002
【実用新案登録請求の範囲】
【請求項１】
渦流を発生させる複数の作用溝が径方向に形成された円板状のタービンと、
該タービンを収容するケーシングと、
前記タービンの作用溝の形成領域を収容するように前記ケーシング内に形成される渦流発生用通路と、
該渦流発生用通路に対して飲料水を導入する吸込用通路と、
該吸込用通路と、前記タービンの円周方向に隣接して設けられ、前記渦流発生用通路から飲料水を送り出す吐出用通路と、
前記吸込用通路と前記吐出用通路との間で前記渦流発生用通路を隔てる隔壁と、
前記タービンを所定方向に回転させる電動モータと、
から構成されることを特徴とする浄水器用ポンプ。
【請求項２】
前記タービンおよび前記ケーシングの少なくとも一方は、所定の樹脂で成形されることを特徴とする請求項１に記載の浄水器用ポンプ。
【請求項３】
前記吸込用通路および前記吐出用通路の少なくとも一方に、前記飲料水を濾過するフィルタが設けられていることを特徴とする請求項１または請求項２の何れかに記載の浄水器用ポンプ。
【考案の詳細な説明】
【技術分野】
【０００１】
本考案は、浄水器において飲料水を送給する浄水器用ポンプに関するものである。
【背景技術】
【０００２】
従来から水道水をフィルタ等により濾過した後、冷却装置で冷却したり、加熱装置で加熱した水を貯留して飲料用に供する浄水器が種々開発され普及している。
【０００３】
これらの浄水器の中には、手動式のポンプを設け、手で圧力を加えて貯留してある飲料水をコップ等に送給するタイプのものもあったが、昨今は、電動式のポンプを備え、スイッチのオン・オフによりワンタッチで飲料水を送給するようにしたものが主流である。
【０００４】
従来の電動式の浄水器としては、特開２００６−２１１８６号公報や特開２００６−５１４２８号公報等に記載のものが挙げられる。
【特許文献１】特開２００６−２１１８６号公報
【特許文献２】特開２００６−５１４２８号公報
【考案の開示】
【考案が解決しようとする課題】
【０００５】
ところで、電動式のポンプを備える浄水器の中には、飲料水を必要とする度ごと、あるいは所定量消費された際に、内蔵する急速冷却装置あるいは急速加熱装置により飲料水を瞬間的に冷却、加熱を行って用いたり、貯留するタイプのものがある。
【０００６】
このタイプの浄水器は、比較的消費電力が少なくて済み、省エネルギー性が高いという特徴を有し、普及が期待されている。
【０００７】
一方で、瞬間的な冷却、加熱を行う度に、急速冷却装置あるいは急速加熱装置に飲料水を連続的に送給する必要があり、効率の良いポンプの搭載が望まれている。また、一般家庭で利用する場合も多いことから、ポンプ自身の静粛性も要求されている。
【０００８】
しかしながら、従来の浄水器に用いられているギア式あるいはレシプロ式（ダイヤフラム式：モータの回転力をクランクを通じてダイヤフラムを上下させポンプ作用を行う形式）のポンプ等は、効率が劣る上に、動作音が大きい（例えば、６０デシベル以上）という難点があった。
【０００９】
本考案は、効率的に飲料水を送給することができ、静粛性を向上させることのできる浄水器用ポンプを提供することを目的とする。
【課題を解決するための手段】
【００１０】
上記課題を解決するため、請求項１に記載の浄水器用ポンプは、渦流を発生させる複数の作用溝が径方向に形成された円板状のタービンと、該タービンを収容するケーシングと、前記タービンの作用溝の形成領域を収容するように前記ケーシング内に形成される渦流発生用通路と、該渦流発生用通路に対して飲料水を導入する吸込用通路と、該吸込用通路と、前記タービンの円周方向に隣接して設けられ、前記渦流発生用通路から飲料水を送り出す吐出用通路と、前記吸込用通路と前記吐出用通路との間で前記渦流発生用通路を隔てる隔壁と、前記タービンを所定方向に回転させる電動モータとから構成されることを特徴とする。
【００１１】
請求項２に記載の浄水器用ポンプは、前記タービンおよび前記ケーシングの少なくとも一方は、所定の樹脂で成形されることを特徴とする。
【００１２】
請求項３に記載の浄水器用ポンプは、前記吸込用通路および前記吐出用通路の少なくとも一方に、前記飲料水を濾過するフィルタが設けられていることを特徴とする。
【考案の効果】
【００１３】
本考案によれば以下の効果を奏することができる。
【００１４】
すなわち、請求項１に記載の浄水器用ポンプによれば、渦流を発生させる複数の作用溝が径方向に形成された円板状のタービンを回転させることにより、各作用溝の中を飲料水が回りながら激しく乱流を起こすことによって揚液作用が発生され、吸込用通路から吐出用通路に圧送される。タービンの回転数に比例して効率が上がるので、回転数が大きいほど効率が向上し、小型で高い圧力を得ることができる。また、回転系が電動モータのみであるため、駆動音が静かで静粛性を高めることができ、しかも高寿命とすることができる。
【００１５】
請求項２に記載の浄水器用ポンプによれば、タービンおよびケーシングの少なくとも一方は、所定の樹脂で成形されるので、大型のポンプにおいては強度等の確保のためタービン等をステンレス等の金属で形成しなければならないのに比して低コスト化、小型化を図ることができる。
【００１６】
なお、所定の樹脂としては、ポリカーボネート等を用いることが考えられる。
【００１７】
請求項３に記載の浄水器用ポンプによれば、吸込用通路および吐出用通路の少なくとも一方に、飲料水を濾過するフィルタが設けられているので、より安全で清浄な飲料水を提供することができる。
【考案を実施するための最良の形態】
【００１８】
以下、本考案を実施するための最良の形態を、図面を参照しつつさらに具体的に説明する。ここで、添付図面において同一の部材には同一の符号を付しており、また、重複した説明は省略されている。なお、ここでの説明は本考案が実施される最良の形態であることから、本考案は当該形態に限定されるものではない。
【００１９】
（第１の実施形態）
【００２０】
図１から図４を参照して、本考案についての第１の実施の形態に係る浄水器用ポンプＰ１について説明する。
【００２１】
図１は、本考案の第１の実施形態に係る浄水器用ポンプＰ１の構成を示す斜視図である。
【００２２】
図１に示すように、浄水器用ポンプＰ１は、直流または交流で駆動され回転数を変更可能な電動モータ１０と、電動モータ１０の回転軸１１に取り付けられるタービンＴを収容するケーシング１２と、メカニカルシール１３と、飲料水の漏れを防ぐシリコンゴム等で成形されたＯリング１４と、蓋部材１５とから構成されている。
【００２３】
ケーシング１２は、吸込用通路１２ａと、吐出用通路１２ｂを備えている。
【００２４】
なお、符号１２ｄは、ケーシング側のメカニカルシールである。
【００２５】
特には限定されないが、ケーシング１２およびタービンＴの少なくとも一方は、ポリカーボネート等の樹脂で成形することができる。
【００２６】
これにより、大型のポンプでは不可能な樹脂製のポンプを形成することができ、低コスト化、小型軽量化を図ることができる。
【００２７】
次に、図２を参照して、タービンＴの構成について説明する。
【００２８】
タービンＴは、円板状のタービン本体５０の円周に沿って放射状のブレード１００が多数立設され、各ブレード１００間に、渦流を発生させる複数の作用溝１０１が形成されている。
【００２９】
特には限定されないが、タービンＴは例えば直径４ｃｍ程度とすることができる。
【００３０】
図３（ａ）、（ｂ）および図４は、浄水器用ポンプＰ１の動作および作用を示す説明図である。
【００３１】
本実施の形態においては、図３（ａ）に示すようにタービンＴは時計方向ＣＷに高速回転される。
【００３２】
図３（ｂ）は、図３（ａ）のＡ−Ａ線断面図である。
【００３３】
吸込用通路１２ａを介して吸入された飲料水は、各作用溝１０１の中と渦流発生用通路１０３との間を回りながら激しく乱流（図３（ａ）のＢ−Ｂ線断面図である図４に示す渦流Ｗ１，Ｗ２）を起こすことによって揚液作用が発生される。
【００３４】
これにより、吸込用通路１２ａから吐出用通路１２ｂに飲料水が圧送される。
【００３５】
タービンＴの回転数に比例して効率が上がるので、回転数が大きいほど効率が向上し、小型で高い圧力を得ることができる。
【００３６】
また、回転系が電動モータ１０のみであるため、駆動音が静か（例えば２６デシベル程度）で静粛性を高めることができ、しかも高寿命とすることができる。
【００３７】
（第２の実施形態）
【００３８】
図５を参照して、本考案についての第２の実施の形態に係る浄水器用ポンプＰ２について説明する。
【００３９】
なお、第１の実施の形態に係る浄水器用ポンプＰ１と同様の構成については、同一符号を付して説明を省略する。
【００４０】
本実施の形態において、タービンＴの構成については、第１の実施の形態に係る浄水器用ポンプＰ１と同じである。
【００４１】
ケーシング２００は、図５上、左横に吸込用通路２００ａが形成され、上方に吐出用通路２００ｂが形成されている。
【００４２】
また、吸込用通路２００ａと吐出用通路２００ｂとの間に隔壁部２０１が設けられている。
【００４３】
本実施の形態においては、図５に示すようにタービンＴは反時計方向ＣＣＷに高速回転される。
【００４４】
吸込用通路２００ａを介して吸入された飲料水は、各作用溝１０１の中と渦流発生用通路２０３との間を回りながら激しく乱流を起こすことによって揚液作用が発生される。
【００４５】
これにより、吸込用通路２００ａから吐出用通路２００ｂに飲料水が圧送される。
【００４６】
タービンＴの回転数に比例して効率が上がるので、回転数が大きいほど効率が向上し、小型で高い圧力を得ることができる。
【００４７】
また、回転系が電動モータのみであるため、駆動音が静かで静粛性を高めることができ、しかも高寿命とすることができる。
【００４８】
以上本考案者によってなされた考案を実施の形態に基づき具体的に説明したが、本明細書で開示された実施の形態はすべての点で例示であって開示された技術に限定されるものではないと考えるべきである。
【００４９】
即ち、本考案の技術的な範囲は、前記の実施の形態における説明に基づいて制限的に解釈されるものでなく、あくまでも請求の範囲の記載に従って解釈すべきであり、請求の範囲の記載技術と均等な技術および請求の範囲内でのすべての変更が含まれる。
【００５０】
例えば、吸込用通路１２ａ、２００ａおよび吐出用通路１２ｂ、２００ｂの少なくとも一方に、飲料水を濾過するフィルタを設けるようにしてもよい。
【００５１】
これにより、一層安全で清浄な飲料水を提供することができる。
【産業上の利用可能性】
【００５２】
本考案は、高効率で短時間に冷水あるいは温水を得ることのできる浄水器に適用することができる。
【図面の簡単な説明】
【００５３】
【図１】本考案の第１の実施形態に係る浄水器用ポンプＰ１の構成を示す分解斜視図である。
【図２】タービンＴの構成を示す斜視図である。
【図３】浄水器用ポンプＰ１の構成を示す断面図（ａ）とＡ−Ａ線断面図（ｂ）である。
【図４】浄水器用ポンプＰ１の要部を示す図３（ａ）のＢ−Ｂ線断面図である。
【図５】本考案の第２の実施形態に係る浄水器用ポンプＰ２の構成および動作を示す断面図である。
【符号の説明】
【００５４】
Ｐ１、Ｐ２  浄水器用ポンプ
１０  電動モータ
１１  回転軸
１２  ケーシング
１２ａ、２００ａ  吸込用通路
１２ｂ、２００ｂ  吐出用通路
１３  メカニカルシール
１２ｅ、２０１  隔壁部
Ｔ  タービン
１４  Ｏリング
１５  蓋部材
１００  ブレード
１０１  作用溝
１０３、２０３  渦流発生用通路
Ｗ１、Ｗ２  渦流
【図１】
0003144292.tif 000003
【図２】
0003144292.tif 000004
【図３】
0003144292.tif 000005
【図４】
0003144292.tif 000006
【図５】
0003144292.tif 000007